(57)【要約】【課題】  バーコードが読取られるとバーコードスキャナの正面に仮置きされ、一取引の全ての商品のバーコードが読取られるとバーコードスキャナの正面から移動させられる商品の外装面に表示されているバーコードを、再びバーコードスキャナで読取られないようにする。【解決手段】  電源制御部２ｅは、ＣＰＵ４１がキーボード２ｂの小計キースイッチ操作を検知すると、バーコードスキャナ２のスキャナ部２Ａ内のレーザー光源に対する電気エネルギー供給を中断し、ＣＰＵ４１がキーボード４ａの預／現計キースイッチ操作を検知すると、レーザー光源に対する電気エネルギー供給を再開する。【選択図】  図２
2009259074.tif 000002
【特許請求の範囲】
【請求項１】
販売される各商品個々の商品外装面に光反射可能な形態で象徴的に表わされているコードから反射された光に基づいて当該販売対象商品に付されているコードを復号するコード復号手段と、
この復号手段により復号したコードを販売される商品に関するデータとして入力処理する販売商品データ入力処理手段と、
このデータ入力処理手段によってデータが未だ入力処理されていない販売対象商品が置かれる第一の商品載置面と、
前記データ入力処理手段によりデータが既に入力処理された販売対象商品であって他の販売対象商品がその上に積み重ねられたとしてもその商品価値が損なわれない商品が置かれる第二の商品載置面と、
前記第一商品載置面と前記第二商品載置面との間に位置すると共に、前記第一商品載置面から前記第二商品載置面へと移動する販売対象商品の移動経路に対向し、当該移動経路内を移動する販売対象商品に付されているコードから反射された光が入射する窓と、
この窓より下方に設けられ、前記第一商品載置面と前記第二商品載置面とを連絡し、前記第一商品載置面から前記第二商品載置面へと移動する販売対象商品の移動経路に対向する商品載置可能な第三の商品載置面と、
前記窓から入射した光を前記コード復号手段に導く導光路と、
前記販売商品データ入力処理手段により入力処理された販売商品データに基づいて各取引毎に代金を算出する取引金額算出手段と、
この取引金額算出手段による代金算出を指令する取引金額算出指令手段と、
前記販売商品データ入力処理手段により入力処理された販売商品データに基づいて一取引における売上データを登録処理する売上データ登録処理手段と、
前記取引金額算出指令手段によって代金の算出指令が為された取引における各販売商品データの確定を宣言し、前記売上データ登録処理手段による当該取引の売上データ登録処理を指令する取引確定指令手段と、
前記取引金額算出指令手段による指令を検知すると、前記販売商品データ入力処理手段による販売商品データの入力処理を一時的に無効化する販売商品データ入力処理無効手段と、
前記取引確定指令手段による指令を検知すると、前記販売商品データ入力処理無効手段によって一時的に無効化されていた前記販売商品データ入力処理手段による販売商品データの入力処理を再開する販売商品データ入力処理再開手段と
を備えた商品販売売上データ登録処理装置。
【請求項２】
販売対象商品に付されているコードによって反射される光を発する光源を設け、
販売商品データ入力処理手段による販売商品データの入力処理を一時的に無効化する販売商品データ入力処理無効手段は、前記光源による発光を一時的に停止させ、
販売商品データ入力処理再開手段は、前記光源による発光を再開させることを特徴とする請求項１記載の商品販売売上データ登録処理装置。
【請求項３】
販売対象商品に付されているコードから反射された光が入射する窓又は窓から入射した光をコード復号手段に導く光導路の何れかを開閉自在な光遮蔽部材を設け、
販売商品データ入力処理手段による販売商品データの入力処理を一時的に無効化する販売商品データ入力処理無効手段は、前記光遮蔽部材によって前記窓又は光導路の何れかを遮蔽して閉口させ、
販売商品データ入力処理再開手段は、前記光遮蔽部材による前記窓又は光導路の遮蔽を解いて開口させることを特徴とする請求項１記載の商品販売売上データ登録処理装置。
【請求項４】
販売商品データ入力処理手段による販売商品データの入力処理を一時的に無効化する販売商品データ入力処理無効手段は、復号手段により復号したコードを販売商品データとして入力処理せずに読み捨て、
販売商品データ入力処理再開手段は、復号手段により復号したコードを読み捨てずに販売商品データとして販売商品データ入力処理手段によって入力処理させることを特徴とする請求項１記載の商品販売売上データ登録処理装置。
【発明の詳細な説明】
【技術分野】
【０００１】
本発明は、電子キャッシュレジスタやＰＯＳ（Ｐｏｉｎｔ  Ｏｆ  Ｓａｌｅｓ：販売時点管理）ターミナル等のように、例えば販売される商品その個体或いはその種別を特定するデータが入力されると、その入力データに基づいて販売される商品に関するデータ（例えば販売価格データ等の販売商品データ）を、売上データとして登録処理する商品販売売上データ登録処理装置に関する。
【背景技術】
【０００２】
最終消費者（コンシューマ、エンドユーザー）に対し、生産者（メーカー）や卸売業者から仕入れた商品を小売する小売販売業者の店舗内には、販売される商品そのものが並べられて陳列されているのが一般的である。そのような店舗においては、買物客自身が購入したい品物を実際に手に取って選び、その購入対象品の代金支払いの為に買物客自身がその品物を精算会計業務担当の店員の所まで持って行くという販売形態が採用されている。なお、このように店舗に陳列され、買物客自身によって精算会計担当の店員の所まで持って来られる各販売対象商品個々には、白黒の縞模様状のバーコードシンボルが表示されている。
【０００３】
バーコードシンボルは、その幅が所定の規則に基づいて変わる平行かつ長方形のバー（黒線）とスペースとを配列させることで、情報をコード化したものである。バーコードシンボルによって表わされる情報は、数列や英文字列であり、小売店舗で販売される各商品に付されているものが表わしているものは、一般的には統一商品コードである。
【０００４】
統一商品コードは、国番号２または３桁、メーカーの番号（メーカーコード）５桁または７桁、品物の番号（アイテムコード）５桁または３桁、間違い防止の番号（チェックデジット）１桁からなる１３または１４桁の数列である。このような統一商品コードは、小売店舗での小売販売に際し、同じ品物として取扱うことに全く支障や問題が生じない単一商品（共通商品）毎に固有なものとなり、商品種別識別コードとして使うことができる。各商品種別識別コードは、それによって特定される各商品を販売する際に必要な販売単価、名称等の販売商品情報を、データベースから販売商品データとして呼び出す際の検索キーとなっている。
【０００５】
以上のようなバーコードシンボルが表示されている商品を販売する小売店で使われる商品販売売上データ登録処理装置は、各販売対象商品に表示されているバーコードシンボルを光学的に読取るバーコードリーダを備えている。そして、このバーコードリーダに各販売対象商品のバーコードを読取らせることで、商品種別識別コードを入力データとして取得し、この取得した商品種別識別コードに対応付けられている販売単価等の販売商品情報をデータベースから探し出し、データベースから呼び出した販売商品データに基づいて売上データの登録処理を行っている。
【０００６】
このように各商品を販売する際に必要な販売単価等の販売商品情報を販売商品データとしてデータベースから呼び出す手法は、ＰＬＵ（Ｐｒｉｃｅ  Ｌｏｏｋ  Ｕｐ）方式と呼ばれている。このため、商品種別識別コードを一般的にはＰＬＵコードと称する。
【０００７】
このようなＰＬＵ方式に対応した商品販売売上データ登録処理装置は、今の主流であるが、販売商品情報データベースにアクセスしない装置の開発が最近行われている。このような商品販売売上データ登録処理装置は、データベースにアクセスする代わりに、販売商品データを各販売対象商品個々から直接取得するものである。
【０００８】
すなわち、各商品を販売する際に必要な販売商品情報はコード化され、二次元コードシンボルとして各販売対象商品個々に予め表示されている。なお、二次元コードシンボルは、長方形のバー／スペース、または正方形のセルを二次元的に配列することにより、情報を高密度にコード化したものである。そして、商品販売売上データ登録処理装置は、二次元コードシンボルを光学的に読取ることができる二次元コードリーダを備え、この二次元コードリーダによって各販売対象商品個々に表示されている二次元コードシンボルを光学的に読取ることで、各販売対象商品個々から直接販売商品データを取得する。
【０００９】
しかしながら、何れの商品販売売上データ登録処理装置も、販売される各商品個々に表示されているコードシンボル（画像）から反射された光の強弱を電気信号化（光電変換）し、この電気信号に基づいてシンボルとして表わされていたコードをデータとして取得（入力）するバーコードリーダや二次元コードリーダのようなコード読取手段を備え、このコード読取手段によって取得（入力された）データに基づいて各販売対象商品の売上データを登録処理するという点では同じであって何等異なるものではない。
【００１０】
以上のような商品販売売上データ登録処理装置が特に数多く使われている小売店舗は、スーパーマーケット（ｓｕｐｅｒｍａｒｋｅｔ）等の小売量販店である。スーパーマーケットの店舗入口から出口直前に掛けての空間には、販売する商品を陳列する陳列棚が複数点在配置されている。各陳列棚は、同種の異なった販売対象商品をまとめて整然と並べて陳列させることができ、その前には買物客が自由に回遊することができる通路が設けられている。したがって、買物客は、各陳列棚から自由に購入対象品そのものを実際に手に取って確認して自分自身で選ぶことができる。
【００１１】
また、スーパーマーケットの店舗出口付近には、商品の代金決済を行なうチェックアウトレーン（勘定場の一種）が複数列並ぶように設けられている。各チェックアウトレーンには、店舗内の陳列棚等に陳列されている数多くの販売対象商品の中から買物客自身によって購入対象品として選ばれた商品そのものが置かれるチェックアウトカウンタが設けられている。各チェックアウトカウンタ上には、各販売対象商品に表示されているバーコードシンボル等のコードシンボル画像を光学的に読取って各販売対象商品に付されているコードを電子データ化するバーコードリーダ等のコード読取手段が設けられている。また、各チェックアウトカウンタの店舗出口側近傍には、コード読取手段等から入力されたデータに基づいて販売する各商品に関するデータを売上データとして登録処理するＰＯＳターミナルが設けられている。
【００１２】
そして、各チェックアウトレーンでは、陳列棚等から購入対象品を自分自身で持って来た買物客は、チェックアウトカウンタを挟んで店員と対面し、購入代金の請求が行われるまで店員が行なうコード読取り作業を見守りながら、各購入対象商品の価格等に誤り等がないかチェックする。
【００１３】
一方、各チェックアウトレーンを担当する店員は、買物客自身によって陳列棚等から持って来られてチェックアウトカウンタ上に置かれた各販売対象商品個々を取り上げ、各販売対象商品毎にコードシンボルの表示箇所を確認しながら、各販売対象商品に表示されているコードシンボルをコード読取手段によって読取らせる。一回の取引で売買する全ての販売対象商品個々に表示されているコードシンボルを全てコード読取手段によって読取らせると、ＰＯＳターミナルを操作して当該取引における代金を算出出力させる。そして、買物客から代金の支払いを受けると、ＰＯＳターミナルを操作して当該取引で販売した各商品に関するデータを売上として登録処理させる。
【００１４】
以上のような作業が店員によって行われるチェックアウトカウンタ上には、コード読取手段によって未だコードシンボルが読取られていない販売対象商品と、既にコードシンボルが読取られた販売対象商品との両方が共に置かれるが、これらの商品が置かれる間にはコード読取手段が設けられており、このコード読取手段が設けられている位置を基準として各々の商品を置くべき場所が明示的に区別され、お互いの商品を混ぜないようにしている。
【００１５】
しかしながら、このようにコードシンボルがコード読取手段によって光学的に読取られた後の商品と読取らせる前の商品との置き場所をチェックアウトカウンタ上で分けたとしても、既にコードシンボルが光学的に読取られた後の商品に表示されているコードシンボルを再度読取らせてしまうことがある。
【００１６】
その一例としては、コードシンボルを正常に読取らせたにも関わらず、正常に読取ることが出来なかったものと店員が勘違いし、続けて同じ商品のコードシンボルを再度読取らせてしまうケースがある。このようなケースに対応する為に、それまでに読取ったコードシンボルのデータを蓄えておき、コードシンボルを読取る度にその読取ったコードシンボルのデータが既に読取っているコードシンボルと同じデータであるか否かを判別し、新たに読取ったコードシンボルのデータと同じデータが既にあることを検知すると、警告を発する商品販売売上データ登録処理装置は知られている（例えば、特許文献１参照）。
【特許文献１】特開平８−３２９２４６号公報
【発明の開示】
【発明が解決しようとする課題】
【００１７】
しかしながら、このようにコードシンボルの重複読取り警告を発する商品販売売上データ登録処理装置では、コードシンボルの重複読取りが起きてしまったことを店員に気付かせることはできるが、コードシンボルの重複読取り自体を防ぐことはできない。
【００１８】
しかして、コードシンボルの重複読取りがあったことに気付いた店員は、その重複読取したコードシンボルの削除や訂正を指示するための操作を行なう為に、チェックアウト業務を一旦中断しなければならない。このような誤り訂正の為にチェックアウト業務を滞らせてしまうと、高頻度に消費する食料品や日用品等を大量に短時間にまとめて買えることをメリットにスーパーマーケットをひいきにしている買物客の信頼を失うことになる。更に、折角セルフサービスを導入して店員を削減したり、各商品に表示されているコードシンボルを光学的に読取らせることで客一人あたりの対応時間を短縮したりする等の合理化によって利益を上げているスーパーマーケットにとっても、決して望ましいことではない。したがって、読取る必要がないコードシンボルを初めから読取ることがない商品販売売上データ登録処理装置が望まれている。
【００１９】
なお、スーパーマーケットで使用されている商品販売売上データ登録処理装置においては、上述したような店員の不注意に起因することなく、スーパーマーケットで取り扱う商品の特性と商品販売売上データ登録処理装置の構造構成との関係に起因して読取る必要がないコードシンボルを読取ってしまうケースが見受けられる。
【００２０】
すなわち、スーパーマーケットで取り扱っている商品の中には、例えば卵、豆腐、パン等のように、その上に他の商品が載せられてしまうと、その重量によって潰れてしまうなどして、その商品価値が損なわれてしまうものがある。
【００２１】
しかして、通常このような商品を購入しようとする買物客は、その商品が買物籠の中で一番上となるように、その上に他の商品が載ったとしても支障がない商品の上に載せた状態で、チェックアウトカウンタに持って来る。したがって、店員は、必然的に買物籠の一番上に乗せられているその商品を最初に手に取り、そのコードシンボルをコード読取手段に向けて光学的に読取らせる。この後、その買物客が購入しようとしている商品が少なく、そのコード読取済み商品の上に他のコード読取済み商品を載せなくても済むようであれば、最初のコード読取済み商品をコード読取手段を挟んで反対側のチェックアウトカウンタ上に置くのであるが、購入商品が多く、最初のコード読取済み商品をそのまま反対側のチェックアウトカウンタ上に置いてしまうと、その商品の上に他の商品を積み重ねて載せざるを得なくなってしまう。そこで、その商品をチェックアウトカウンタ上で唯一スペースが空いているコード読取手段の正面に一旦取り置いておき、その客の全ての商品のコードを読取らせ終えた後に、最後の商品として他のコード読取り済み商品の上に載せるといったことが行われている。
【００２２】
しかしながら、コード読取手段の正面に置かれていた商品は、他のコード読取り済み商品の上に載せられる際に、必然的にコード読取手段に近付いてしまい、そのコードシンボルがコード読取手段によって誤って再度読取られてしまうということがある。
【００２３】
もちろん、このような場合であっても、上述した商品販売売上データ登録処理装置であれば、コードシンボルの重複読取りとして警告が発せられるであろう。が、そのような商品販売売上データ登録処理装置によって警告報知されるタイミングは、当該買物客の全ての商品のコード読取が終わった直後であるため、そのような警告に店員は気付かないことがある。特に、全ての商品のコード読取を終えた店員は、コード読取手段から離れて代金の決済を行なうためにＰＯＳターミナルへと向かおうとしていたり、又は次に並んでいる買物客の商品のコード読取作業に着手し始めようとして次の買物籠を引き寄せようとしたりし、コード読取手段から注意を逸らしてしまうので、警告に気付くのが遅くなりがちである。
【００２４】
本発明は、以上のような事情を鑑み為されたもので、コード読取手段の読取り領域内でコード読取手段によってコードを読取られた後にコード読取手段正面の読取り領域外に一時的に仮置きされていた販売対象商品が、他の販売対象商品のコード読取が終わった後にコード読取手段の読取り領域内に再度侵入したとしても、そのコードをコード読取手段によって誤って再度読取ることなく、当該買物客に対する取引代金請求、或いは次の買物客（取引）の商品のコード読取り作業に店員が滞り無く迅速に取り掛かることができる商品販売売上データ登録処理装置を提供しようとするものである。
【課題を解決するための手段】
【００２５】
本発明に係る商品販売売上データ登録処理装置は、販売される各商品個々の商品外装面に光反射可能な形態で象徴的に表わされているコードから反射された光に基づい当該販売対象商品に付されているコードを復号するコード復号手段と、この復号手段により復号したコードを販売される商品に関するデータとして入力処理する販売商品データ入力処理手段と、このデータ入力処理手段によってデータが未だ入力処理されていない販売対象商品が置かれる第一の商品載置面と、前記データ入力処理手段によりデータが既に入力処理された販売対象商品であって他の販売対象商品がその上に積み重ねられたとしてもその商品価値が損なわれない商品が置かれる第二の商品載置面と、前記第一商品載置面と前記第二商品載置面との間に位置すると共に、前記第一商品載置面から前記第二商品載置面へと移動する販売対象商品の移動経路に対向し、当該移動経路内を移動する販売対象商品に付されているコードから反射された光が入射する窓と、この窓より下方に設けられ、前記第一商品載置面と前記第二商品載置面とを連絡し、前記第一商品載置面から前記第二商品載置面へと移動する販売対象商品の移動経路に対向する商品載置可能な第三の商品載置面と、前記窓から入射した光を前記コード復号手段に導く導光路と、前記販売商品データ入力処理手段により入力処理された販売商品データに基づいて各取引毎に代金を算出する取引金額算出手段と、この取引金額算出手段による代金算出を指令する取引金額算出指令手段と、前記販売商品データ入力処理手段により入力処理された販売商品データに基づいて一取引における売上データを登録処理する売上データ登録処理手段と、前記取引金額算出指令手段によって代金の算出指令が為された取引における各販売商品データの確定を宣言し、前記売上データ登録処理手段による当該取引の売上データ登録処理を指令する取引確定指令手段と、前記取引金額算出指令手段による指令を検知すると、前記販売商品データ入力処理手段による販売商品データの入力処理を一時的に無効化する販売商品データ入力処理無効手段と、前記取引確定指令手段による指令を検知すると、前記販売商品データ入力処理無効手段よって一時的に無効化されていた前記販売商品データ入力処理手段による販売商品データの入力処理を再開する販売商品データ入力処理再開手段とを備えたことを特徴とする。
【発明の効果】
【００２６】
本発明に係る商品販売売上データ登録処理装置においては、取引金額算出指令手段による代金算出指令を検知すると、販売商品データ入力処理無効手段によって販売商品データ入力処理手段による販売商品データの入力処理を一時的に無効化するので、当該取引の全ての販売対象商品のコード読取りが終わった以降に、コードシンボルを表示されている商品がコード読取手段の読取り領域内に侵入したとしても、そのコードシンボルをコード読取手段によって読取ることがなくなり、全ての販売対象商品のコード読取が終わった取引を素早く確定させ、当該取引の会計業務に滞りなく着手することができ、取引確定指令手段による指令を検知すると、販売商品データ入力処理再開手段が販売商品データ入力処理無効手段によって一時的に無効化されていた販売商品データ入力処理手段による販売商品データの入力処理を再開するので、次の客（取引）の販売対象商品のコード読取り作業に迅速に取り掛かることができ、チェックアウト業務の作業効率が低下することなく、チェックアウト業務の効率を高いまま維持することができる。
【発明を実施するための最良の形態】
【００２７】
以下、本発明を実施するための最良の形態について説明する。
【００２８】
この実施の形態において、本発明に係る商品販売売上データ登録処理装置は、スーパーマーケットのチェックアウトレーンに設けられており、そこで行われるチェックアウト業務に供される。なお、この実施の形態におけるスーパーマーケットで販売されている各商品の外装面には、商品種別識別コードの一種であるＰＬＵコードをバーコードシンボル化したものが表示されている。したがって、この実施の形態における商品販売売上データ登録処理装置は、従前のとおり、バーコードリーダを備えており、このバーコードリーダで各販売対象商品のバーコードシンボルを光学的に読取らせ、読取らせたバーコードシンボルに基づいて各販売対象商品に付されているＰＬＵコードを特定し、特定されたＰＬＵコードに基づいて当該商品の販売単価等の商品情報をデータベースから探し出し、データベースから呼び出した商品データに基づいて各販売対象商品の売上データを登録処理する。
【００２９】
図１は、本発明を実施するための最良の形態における商品販売売上データ登録処理装置の外観斜視図である。同図に示したように、本実施の形態における商品販売売上データ登録処理装置は、その高さが低めで細長いチェックアウトカウンタ１上に設けられているバーコードリーダの一種であるバーコードスキャナ２と、その高さが前記チェックアウトカウンタ１よりも高いレジ台３上に設置されているＰＯＳターミナル４とからなる。
【００３０】
前記チェックアウトカウンタ１は、店舗内の陳列棚等に陳列されている商品の買上げを希望する買物客自身によって当該買上げ希望陳列商品が持って来られ、当該商品の販売データの入力等を店員が行い、買上げ商品（販売商品）の代金決済（チェックアウト）を買物客と店員との間で行なう勘定場に設置されている。
【００３１】
このチェックアウトカウンタ１の長手（寸法の長い方の側）の一方（図１に示したチェックアウトカウンタ１の図面上手前側）には店員が立ち、他方（図１に示したチェックアウトカウンタ１の図面上向こう側）には買物客が通る通路が設けられている。なお、買物客は、当該店舗における商品陳列側（図１に示したチェックアウトカウンタ１に向かって図面上右手側で、以降「チェックアウト業務上流方向側」と称する）から、当該店舗における出口側（図１に示したチェックアウトカウンタ１に向かって図面上左手側で、以降「チェックアウト業務下流方向側」と称する）に向かって順次移動していく。
【００３２】
前記チェックアウトカウンタ１の天板は、チェックアウトカウンタ１の設置面から６３乃至７５ｃｍ程の高さで、その上に買物客によって買上げられる商品が直接又は買物カゴを介して間接的に置かれる。一般的には、チェックアウト業務上流方向側（前記チェックアウトカウンタ１商品陳列）の天板上には、買物客によって商品陳列棚等から持って来られた会計待ちの買上げ希望商品が直接又は買物カゴを介して間接的に置かれ、チェックアウト業務下流方向側（前記チェックアウトカウンタ１出口側）の天板上には、代金の決済が行われる直前又は行われた直後の買上げ商品が直接又は買物カゴを介して間接的に置かれる。
【００３３】
しかしながら、本来ならば、チェックアウト業務上流方向側の天板上に置かれるべき商品であったとしても、その商品の上に他の商品を積み重ねてしまうことによって、その商品の価値を損なってしまうような場合には、その商品の上に他の商品を積んで置かない為に、チェックアウト業務の上流方向側と下流方向側との間の天板上に置くということが行われている。なお、天板の高さが６３乃至７５ｃｍ程度なので、買物客が買上げ希望商品を直接又は間接的に天板上に置いたり、直接又は間接的に天板上に置かれている買上げ希望商品を店員が持ち上げたりする天板上での商品の上げ下ろし作業時にも、作業を行なう際に身体的な負担を強いられるようなことはない。
【００３４】
また、前記チェックアウトカウンタ１の天板の大きさは、一般的には幅（長手方向寸法）１８０ｃｍ、奥行き（妻手（寸法が短い方の側）方向寸法）４５ｃｍ程度であり、チェックアウトカウンタ１を間に挟んで買物客と店員とが向かい合ったとしても、それによって両者のコミュニケションが妨げられるようなことはない。
【００３５】
ちなみに、チェックアウトカウンタ１の天板上に置かれて、チェックアウト業務における上流方向側から下流方向側へと移動させられる買物カゴは、一般的には、幅４３乃至４７ｃｍ、奥行き３２乃至３６ｃｍ前後（何れも最大外寸）であるので、天板から大きくはみ出てしまってチェックアウトカウンタ１から転落してしまうようなことがないようになっている。
【００３６】
また、前記チェックアウトカウンタ１の長手方向の略真ん中で買物客が通る通路側には、前記バーコードスキャナ２が設けられている。このバーコードスキャナ２は、販売される各商品個々の商品外装面に光反射可能な形態で象徴的に（シンボルとして）表わされているバーコードを光学的に読取り、この読取ったバーコードのデータを販売される商品に関するデータとして前記ＰＯＳターミナル４に対して入力処理するものである。すなわち、バーコードスキャナ２は、本発明の販売商品データ入力処理手段に相当する。
【００３７】
このバーコードスキャナ２の外観形状は、略直角柱で、前記チェックアウトカウンタ１の客通路側の天板上にそびえ立つように設けられている。このバーコードスキャナ２の四つの各側面は、前記チェックアウトカウンタ１の天板表面と直角を成している。
【００３８】
前記バーコードスキャナ２の四つの垂直面のうち、その正面に店員が立ち、店員の作業領域に臨む面には、窓２ａが設けられている。この窓２ａの正面は、前記チェックアウトカウンタ１のチェックアウト業務上流方向側天板上からチェックアウト業務下流方向側天板上へと店員によって移動させられる商品の移動経路となっている。この移動経路を店員によって移動させられる商品に付されているバーコードから反射された光は、前記窓２ａに入射する。
【００３９】
このような窓２ａが設けられている高さは、前記チェックアウトカウンタ１の天板上に置かれた買物カゴの開口よりも高く、天板上を移動させられる買物カゴが窓２ａに接触することはない。また、前記バーコードスキャナ２の四つの垂直面のうち、前記チェックアウトカウンタ１の客通路に対向している面を除いた三つの垂直面は、夫々の正面天板上に一定の間隙をもって並行に設けられている金属性の柵によって囲まれている。この金属製の柵は、天板上を移動する買物カゴがバーコードスキャナ２に接触しないように防御するものである。なお、買物カゴの天板上の移動は、前記チェックアウトカウンタ１の右手側から引き寄せ、バーコードスキャナ２の窓２ａが設けられている垂直面の前を通し、チェックアウトカウンタ１の左手側へと送り出すという一連の店員による作業にて為される。
【００４０】
前記窓２ａが設けられているバーコードスキャナ２の垂直面の正面天板上に設けられている柵と当該天板の店員側縁との間の幅は、その長手方向の縁が前記窓２ａと平行を成すようにその向きが方向付けられた状態の買物カゴが通過することができるだけの十分な広さがあり、天板のその部分に商品を置くこともできる。なお、前記窓２ａの正面は、前記チェックアウトカウンタ１の右手側天板上から左手側天板上へと店員によって移動させられる商品の移動経路となっている。
【００４１】
そして、前記窓２ａより上方には、キーボード２ｂ、表示器２ｃそれぞれが店員と対向するように設けられている。キーボード２ｂには、店員によって操作される各種キースイッチが配列されているが、特に本発明と密接な関係にあるものは、小計キースイッチである。小計キースイッチの本来の機能（役割）は、その取引において、それが操作されるまでにデータ入力され、販売価格の取得が行われた全ての商品（当該取引対象商品）の合計代金を算出する指令を発するものである。表示器２ｃに表示される情報としては、データ入力されたことで取得した各商品に関する情報（特に販売する際に必要な商品名、価格、買上個数）や合計代金等である。なお、表示器２ｃの裏側（買物客通路側）には、買物客に対する情報を表示する買物客向け表示器が設けられており、基本的には表示器２ｃに表示する情報と同じものが表示される。
【００４２】
以上のようなバーコードスキャナ２は、図に示されていない信号線によってＰＯＳターミナル４に接続されている。ＰＯＳターミナル４は、バーコードスキャナ２によって取得された各商品のコードデータが販売される商品に関するデータとして入力処理され、この入力処理された販売商品データに基づいて取引毎に代金を算出し、また一取引における売上登録処理を行なうものである。
【００４３】
このようなＰＯＳターミナル４は、本実施の形態においては、現金等を収容するためのドロワ装置５を介して前記レジ台３上に設置されている。レジ台３は、前記チェックアウトカウンタ１のチェックアウト業務下流側に位置し、その店員側長手に沿って移動自在に据えられている。そして、このようなレジ台３上のＰＯＳターミナル４は、バーコードの読取り作業を終えた店員が二、三歩チェックアウト業務下流側に向かって移動するだけで操作することができるように、その操作部がチェックアウト業務上流方向側に向けられている。
【００４４】
ＰＯＳターミナル４の上面には、店員によって操作されるキーボード４ａと、店員が必要とする情報を表示する表示器４ｂとが設けられている。また、表示器４ｂの脇には買物客向け表示器４ｃが設けられている。そして、キーボード４ａの向かって左側には、買物客が一取引で買い上げた各商品に関する明細情報（商品名称、買上金額、買上点数等）が印字されたレシートを発行するレシート発行口が設けられている。
【００４５】
前記キーボード４ａには、預／現計キースイッチなどが配設されている。預／現計キースイッチは、取引を締める際に店員によって操作される取引締めキースイッチの一種で、特に取引の代金決済を現金の授受によって行なう現金取引を締める際に操作される。取引締めキースイッチが操作されたＰＯＳターミナル４は、前回の取引が締められてから当該キースイッチが操作されるまでの間に入力処理された販売商品データを確定させる指令が出されたものと判断し、当該販売商品データに基づいて各販売対象商品の売上データを登録処理する。
【００４６】
図２は、ＰＯＳターミナル４及びバーコードスキャナ２の要部構成を示すブロック図である。このＰＯＳターミナル４は、制御部本体としてＣＰＵ（Ｃｅｎｔｒａｌ Ｐｒｏｃｅｓｓｉｎｇ Ｕｎｉｔ）４１を搭載している。そして、このＣＰＵ４１に、アドレスバス、データバス等のバスライン４２を介してＲＯＭ（Ｒｅａｄ  Ｏｎｌｙ  Ｍｅｍｏｒｙ）４３、ＲＡＭ（Ｒａｎｄｏｍ  Ａｃｃｅｓｓ  Ｍｅｍｍｏｒｙ）４４、Ｉ／Ｏ（Ｉｎｐｕｔ／Ｏｕｔｐｕｔ）ポート４５、キーボードコントローラ４６、表示コントローラ４７、プリンタコントローラ４８及びスキャナコントローラ４９等を接続している。
【００４７】
ＲＯＭ４３には、プログラム等の固定的データを予め格納している。ＲＡＭ４４には、ＰＬＵテーブル、ＰＬＵ売上データファイル、トランザクションファイル等の記憶エリアが形成されている。前記ＰＬＵテーブルは、各商品のＰＬＵコードに対応してその商品の単価等がプリセットされており、各商品を販売し売り上げる際に必要とされる販売単価、名称等の商品情報を商品データとして提供するデータベースファイルである。ＰＬＵ売上データファイルは、当該装置で１営業日に販売登録処理した商品の売上データ（金額、個数）をＰＬＵコード別に集計管理し、記憶保持する。トランザクションファイルは、一回の取引で売買される各商品のＰＬＵコード、販売点数、販売金額等からなるトランザクションデータを蓄積記憶する。
【００４８】
Ｉ／Ｏポート４５には、ＰＯＳターミナル４における「登録」、「点検」、「精算」、「設定」等の各種業務モードを選択的に切り替えるためのモードスイッチ５０から信号が入力されるようになっている。また、ドロワ５の引出しを自動開放させるドロワ開放装置５１に対し駆動信号を出力するようになっている。
【００４９】
キーボードコントローラ４６は、前述のキーボード４ａの駆動を制御し操作キーに対応したキー信号を取込む。表示コントローラ４７は、表示器４ｂ及び買物客向け表示器４ｃの駆動を制御し表示データに対応する文字等を表示させる。プリンタコントローラ４８は、プリンタ４ｄの駆動を制御しレシート印字を行なわせる。
【００５０】
スキャナコントローラ４９には、信号ケーブルを介して、バーコードスキャナ２を構成して成る各部が接続される。このスキャナコントローラ４９に接続される各部は、スキャナ部２Ａ、前述のキーボード２ｂ、前述の表示器２ｃ及び買物客向け表示器、ブザー２ｄ、電源制御部２ｅ等である。
【００５１】
スキャナ部２Ａは、前記バーコードスキャナ２の内部に収められており、バーコードデータを光学的に読取る要部である。
【００５２】
図３は、スキャナ部２Ａの模式図である。図中３ａはレーザー光源であり、３ｂはハーフミラー（プリズム）、３ｃは回転ポリゴンミラー、３ｄは固定鏡、３ｅは光センサである。以下、これらの光学系部品によってバーコードデータを光学的に読取る仕組みを説明する。
【００５３】
レーザー光源３ａから発せられたレーザー光線は、ハーフミラー３ｂを透過して、一定の高速度で回転する回転ポリゴンミラー３ｃに向かう。そして、回転ポリゴンミラー３ｃの回転している各側面に当たり反射されることで、バーコードシンボルＢＣＳ上を走査する光となって直線状の軌跡パターンを描くようになる。そして、このレーザー光線は固定鏡３ｄで屈折され、窓２ａ（図３には図示せず）を通してバーコードスキャナ２（図３には図示せず）の外部に向けて出射される。窓２ａから出射されたレーザー光線は、所定の光軌跡パターンを描きながら、店員が各商品個々の外装面に表示されたバーコード部分を一商品ずつ窓２ａに向けてかざすバーコードシンボルＢＣＳ上を走査する。
【００５４】
こうしてバーコードシンボルＢＣＳによって反射されたレーザー光線は、当該バーコードシンボルＢＣＳのパターンに対応して強弱を施され、窓２ａから入射して、出射経路と同じ経路を逆向きに戻っていく。そして、ハーフミラー３ｂまで戻ると、ここでは透過せずに屈折し、光センサ３ｅの方向へ向きを変える。この光センサ３ｅにおいて、反射されたレーザー光線はその光の強弱に従って電気信号へ変換される。この変換された電気信号に基づいてバーコードシンボルＢＣＳで表現されていたコードが電子データとして復号され、当該商品に関するデータとして入力される。
【００５５】
このように光センサ３ｅがバーコードシンボルＢＣＳから反射された光の強弱を電気信号に変えて当該販売商品のコードを復号するコード復号手段に相当する。また、レーザー光源３ａから発せられたレーザー光線がバーコードシンボルＢＣＳまでに至る経路（レーザー光源３ａ→ハーフミラー３ｂ→回転ポリゴンミラー３ｃ→固定鏡３ｄ→窓２ａ→バーコードシンボルＢＣＳ）、バーコードシンボルＢＣＳによって反射されたレーザー光線が光センサ３ｅまでに至る経路（バーコードシンボルＢＣＳ→窓２ａ→固定鏡３ｄ→回転ポリゴンミラー３ｃ→ハーフミラー３ｂ→光センサ３ｅ）の夫々が導光路に相当する。
【００５６】
ブザー２ｄは、バーコード読取り中に不具合があった場合等の何等かの不具合が生じ、エラーを報知したりする際に鳴動する。電源制御部２ｅは、バーコードスキャナ２の各部に電気エネルギーを供給する電源部の制御を行なう。
【００５７】
そして、スキャナコントローラ４９は、キーボード２ｂから操作キーに対応した信号を前記ＣＰＵ４１に送る機能、表示器２ｃ等に対し表示データを送信する機能、前記ＣＰＵ４１からの指令に基づいてブザー２ｄに駆動信号を送信する機能、前記ＣＰＵ４１からの指令に基づいて前記電源制御部２ｅを介して前記電源部にレーザー光源３ａに対する電気エネルギー供給のＯＮ／ＯＦＦ指示を与える機能等を有する。
【００５８】
以上のようなハードウェア構成において、前記ＣＰＵ４１は、モードスイッチ５０により登録モードが選択指定されている状態で、図４のフローチャートに示す処理を実行する。
【００５９】
まず、ＳＴ（ステップ）１として前記スキャナコントローラ４９から前記バーコードスキャナ２で読取ったバーコードのデータとしてＰＬＵコードが送られてきたか否かによってコード入力が行われたか否かを判定する。
【００６０】
ＳＴ１にてコードの入力が行われたと判断された場合は、ＰＬＵファイルに予め格納されているＰＬＵコードの中に、入力された当該コードと一致するＰＬＵコードデータがあるか否かの確認のために、前記ＲＡＭ４４のＰＬＵファイルを検索する（ＳＴ２）。
【００６１】
ＳＴ３では、ＳＴ２でＰＬＵファイルを検索した結果、当該コードと一致するＰＬＵコードが検出された場合には（ＳＴ３のＹＥＳ）、当該ＰＬＵコードが割り当てられている商品の品名及び単価等の対応情報を呼び出す。ＳＴ２でＰＬＵファイルを検索した結果、当該コードに対応するＰＬＵコードが検出されなかった場合には（ＳＴ３のＮＯ）、前記スキャナコントローラ４９を介して前記ブザー２ｄに駆動信号を送りブザーを鳴動させたり、前記表示器２ｃにエラー発生を知らせるメッセージを表示させたりし、入力コードエラー発生を報知させる（ＳＴ４）。このエラー報知処理は、スキャナコントローラ４９を介してキーボード２ｄからのエラー解除キースイッチ操作信号を受け取るまで続けられ、エラー解除キースイッチ操作信号を受け取ると、ブザー鳴動やエラー表示を止めさせ、ＳＴ１に戻る。
【００６２】
ＳＴ３において当該コードと一致するＰＬＵコードが検出され、当該商品に関する対応情報を呼び出した場合はその対応情報を基に、ＲＡＭ４４のトランザクションファイルに、呼び出した当該商品情報を書込み処理する（ＳＴ５）。また、ＳＴ５において当該商品に関する対応情報書込み処理した場合は、前記スキャナコントローラ４９に対して当該商品情報データを送信し、表示器２ｃ及び買物客向け表示器に当該商品情報を表示させる（ＳＴ６）。
【００６３】
そして、キーボード２ｂからの操作信号として、小計キースイッチが押下されたことを示す、小計キースイッチ操作信号が前記スキャナコントローラ４９から送られてきたか判定する（ＳＴ７）。判定の結果、ＳＴ６の処理の後に小計キースイッチが操作されないと判断された場合は、ＳＴ１に戻り、ＳＴ７で小計キースイッチ操作信号を検出するまでＳＴ６までの処理を繰り返す。
【００６４】
ＳＴ７の判定の結果、小計キースイッチ操作信号検知すると、前記トランザクションファイルに何等かの商品情報が書き込まれているか否かを判定する（ＳＴ８）。判定の結果、前記トランザクションファイルに商品情報が書き込まれていなかった場合（ＳＴ８のＮＯ）には、ＳＴ４同様のエラー報知処理を行い、エラー解除キースイッチの操作を検知してエラー報知を解除させる（ＳＴ９）と、ＳＴ１に戻る。
【００６５】
ＳＴ８の判定の結果、何らかの商品情報が前記トランザクションファイルに書き込まれていた場合（ＳＴ８のＹＥＳ）には、前記スキャナコントローラ４９を介して電源制御部２ｅを制御し、バーコードスキャナ２内部のレーザー光源３ａへ供給される電気エネルギーの供給を中断させることにより、コード入力の無効化を実行させる（ＳＴ１０）。また続けて更に、小計キースイッチ操作直前までに入力処理され前記トランザクションファイルに書込み処理した各商品情報の商品単価データに基づいて、当該取引の合計金額を算出処理し、当該合計金額を前記スキャナコントローラ４９に対してデータ送信し表示器４ｂ及び買物客向け表示器４ｃに表示させる（ＳＴ１１）。
【００６６】
この後、キーボード４ａからの操作信号として、取引を締める取引締めキースイッチの一種である預／現計キースイッチが操作されたことを示す預／現計キー操作信号を受信したか否かを判定する（ＳＴ１２）。
【００６７】
ＳＴ１２の判定の結果、預／現計キー操作信号を検知すると（ＳＴ１２のＹＥＳ）、ＳＴ１０において中断させていた、バーコードスキャナ２内部のレーザー光源３ａへの電気エネルギー供給を、電源制御部２ｅによって再開させることで、コード入力の有効化が実行される（ＳＴ１３）。
【００６８】
そして、前記トランザクションファイルに書込み処理した各商品情報の商品単価データ等に基づいて、当該取引の売上データを登録処理する（ＳＴ１４）。登録処理の具体的な内容としては、釣銭金額の算出／表示、レシートの印字発行、トランザクションファイルに記憶されているデータに基づくＰＬＵ売上データファイル等の売上ファイルに対する売上更新等である。以上のような登録処理が完了すると、トランザクションファイルに記憶させていたデータがクリアした（ＳＴ１５）後、ＳＴ１に戻る。
【００６９】
ＳＴ１２の判定の結果、預／現計キースイッチの操作信号を受信せず、預／現計キースイッチが押下されていないと判断した場合（ＳＴ１２のＮＯ）は、追加キースイッチの操作信号が入力処理されたか否かを判定する（ＳＴ１６）。ＳＴ１６において追加キースイッチの操作信号が入力されていないと判断された場合（ＳＴ１６のＮＯ）は、ＳＴ１２に戻り、預／現計キースイッチ等の取引締めキースイッチが操作されるまでそのまま待機する。
【００７０】
ＳＴ１６において追加キースイッチの操作信号が入力処理されたと判断された場合（ＳＴ１６のＹＥＳ）は、ＳＴ１０で中断されたレーザー光源３ａへの電気エネルギーの供給復活させ、無効化されていたコード入力を有効化し（ＳＴ１７）、ＳＴ１に戻り、追加したい買上げ希望商品のコードが入力されるか、或いはＳＴ７において小計キースイッチの操作信号を検出するまで待機する。
【００７１】
次に、以上のような商品販売売上データ登録処理装置が設置され、会計待ちの買物客が数珠繋ぎで連なっている繁忙時のチェックアウトレーンに、卵、食パン、ベーコン、チーズ、パック牛乳、インスタントコーヒー、コーンフレーク、お味噌、サラダドレッシング、レタス、アイスクリーム、ヨーグルトを購入対象品として選んだ買物客が並び、卵と食パンそれぞれを他の商品の上に載せた状態の買物カゴをチェックアウトカウンタ１のチェックアウト業務上流方向側天板上に置き、その買物籠の中の商品の代金決済を担当する店員が行なうチェックアウト業務を例にし、商品販売売上データ登録処理装置の操作例と動作例を説明する。
【００７２】
購入対象品のチェックアウトの順番が当該買物客に回ってきた時、チェックアウトカウンタ１上の、チェックアウト業務上流側のうちのバーコードスキャナ２脇天板上には、登録取引を終えたばかりの列前の買物客により購入対象品を収容され持参された買物カゴが空になった状態で未だ置かれており、店員はまず、この空の買物カゴを、バーコードスキャナ２前を通して、チェックアウト業務下流方向側天板上へと移動させる。
【００７３】
次に、店員は、今し方スペースの空いたバーコードスキャナ２脇に、当該買物客に持参され、チェックアウトカウンタ１天板上のチェックアウト業務上流側に置かれた、バーコード読取前の購入対象品が収容されている買物カゴを、引き寄せる。
【００７４】
引き寄せた買物カゴには前述した数点の商品が購入対象品として選ばれ収容されているが、中でも卵と食パンはその上部に重みが加わると形状を保てず商品価値を損なってしまうものであり、当該買物客はそれを回避するために、この２点の商品については特別な配慮の下、当該買物カゴ内の最上部であって他の商品の上に載せた状態で持参している。
【００７５】
店員は、この買物カゴに収容された商品をひとつひとつ手に取り各商品につきバーコードの表示箇所を確認した上で、各商品のバーコードをバーコードスキャナ２の窓２ａ部分にかざし、読取らせることで電子データ化させる。この時、店員が読取らせる順番としては必然的に、最上部に載せられている前述の２点の商品から開始される。すなわち、この場合例えば、卵を手に取り上げ、商品の外装面に表示されたバーコードを、バーコードスキャナ２の窓２ａ部分にかざし、読取らせる。それにより、変換された電子データに基づきＰＬＵファイルから呼び出された卵の商品情報が、トランザクションファイルに書き込まれ、またこの商品情報が表示器２ｃ及び買物客向け表示器に表示される。
【００７６】
通常、バーコード読取りを正常に終えた商品は、バーコードスキャナ２前を通って、当該取引の開始直前にチェックアウトカウンタ１のチェックアウト業務下流側天板上に移動された、列前の買物客持参の買物カゴ内へと移動され収容される。
【００７７】
しかし、前述の２点のような上部からの圧力に弱く破損し易い商品については、通常の流れとは異なる。すなわち、バーコード読取りを正常に終えた卵は、バーコードスキャナ２に設けられた窓２ａの正面天板上であってレーザー光源３ａの及ばない位置に、特別に一時的に取り置かれる。
【００７８】
そして、店員は、次の読取り商品として、同じく上部からの圧力により破損し易い食パンを手に取り上げ、前述の卵と同じようにしてバーコード読取りを行なう。その後、同じく通常の流れとは異なり、窓２ａの正面天板上のレーザー光源３ａの及ばない位置であって、既に取り置かれている卵の脇に食パンを取り置く。
【００７９】
客が持参した購入対象品のうち、買物カゴの最上部に載せられていた、上部からの圧力により破損し易い卵及び食パンを正常に読取り電子データ化し終えると、店員は上述した残りの購入対象品のバーコード読取りを行なう。すなわち例えば、買物カゴの中からパック牛乳を手に取り上げ、商品の外装面に表示されたバーコードを、バーコードスキャナ２の窓２ａ部分にかざし、読取らせる。それにより、変換された電子データに基づきＰＬＵファイルから呼び出されたパック牛乳の商品情報が、トランザクションファイルに書き込まれ、またこの商品情報が表示器２ｃ及び買物客向け表示器に表示される。
【００８０】
バーコード読取りを正常に終えたパック牛乳は、バーコードスキャナ２前を通って、当該取引の開始直前にチェックアウトカウンタ１のチェックアウト業務下流側天板上に移動された、列前の買物客持参の買物カゴ内へと移動され収容される。この後も、店員は、このパック牛乳と同じようにして当該買物客が持参した買物カゴ内に収容されている購入対象品がなくなるまで、ひとつひとつ手に取りバーコード読取りを行い、読取った後は、チェックアウトカウンタ１のチェックアウト業務下流側天板上に置かれた列前の買物客持参の買物カゴであって、バーコード読取り済み商品収容用の買物カゴ上へ移動させ、順次収容していく。このようにして店員が全ての購入対象品につき、バーコードの読取り作業を行なう間、買物客は店員のバーコード読取り作業や買物客向け表示器の表示を見守り、不正や誤り等がないかチェックしている。
【００８１】
購入対象品のバーコードを全て正常に読取り電子データ化し終え、当該買物客が持参した買物カゴが空になったことを確認すると、店員はバーコードスキャナ２のキーボード２ｂ、またはＰＯＳターミナル４のキーボード４ａ上の小計キースイッチを操作して当該買物客との取引における代金を算出させる。算出された合計代金は、買物客向け表示器４ｃに表示される。また、小計キースイッチが操作されるのと同時に、バーコードスキャナ２のレーザー光源３ａへの電気エネルギーの供給が中断され、それによりレーザー光源３ａからのレーザー光線の出射が止まるためスキャナ部２Ａのコード読取り機能は無効化される。
【００８２】
そして店員は、読取り作業の最初の段階でバーコードを読取り、窓２ａの正面天板上のレーザー光源３ａの及ばない位置に一時的に取り置いて分けておいた卵と食パンを、他の購入対象品と同じ場所、すなわち、チェックアウトカウンタ１のチェックアウト業務下流側天板上に置かれたバーコード読取り済み商品収容用の買物カゴの中へ移動させ、他の購入対象品の上部に載せ、一箇所にまとめる。この時、移動経路上止むを得ず、その動線上にあるバーコードスキャナ２の窓２ａに卵と食パンを近付けてしまったとしても、コード読取り機能は無効化されているので、誤ってそのコードが読取られることはない。
【００８３】
そして店員は、算出された合計代金について、買物客向け表示器４ｃ上の表示をもって確認した客と、金銭の授受を行なう。買物客から合計代金に対応した金銭を受け取った店員は、ＰＯＳターミナル４のキーボード４ａ上の預／現計キースイッチを操作し、当該取引の各販売商品データの確定を宣言する。預／現計キースイッチが操作されると同時に、電源制御部２ｅにより、レーザー光線３ａへの電気エネルギーに対して供給再開指示が出され、それによりレーザー光源３ａからのレーザー光線の出射が再び開始されるため、スキャナ部２Ａのコード読取り機能が有効となる。また、トランザクションファイルの内容に基づいて当該取引で販売した全購入対象品に関するデータが売上として登録処理され、トランザクションファイルがクリアされる。
【００８４】
その後店員は、プリンタ４ｄより発行された当該取引について記録されたレシート、及び客より受け取った金銭が合計代金よりも多かった場合は差額の釣銭を客に手渡す。
【００８５】
このようにして、一買物客との一連の登録取引によるチェックアウト業務を終えると、店員は、当該買物客の次に、会計待ちの列に並んでいる買物客の持参した購入対象品のチェックアウト業務に移る。すなわち、前述した状況と同じように、次の買物客の購入対象品のチェックアウトの順番が来た時点では、チェックアウトカウンタ１上の、バーコードスキャナ２脇チェックアウト業務上流側天板上には未だ、登録取引を終えたばかりの当該買物客により購入対象品を収容され持参された買物カゴが空になった状態で置かれている。そのため店員はまず、この空の買物カゴを、バーコードスキャナ２前を通して、チェックアウト業務下流方向側天板上へと移動させる。そして、店員は、今し方スペースの空いたバーコードスキャナ２の脇に、次の買物客に持参されてチェックアウトカウンタ天板上のチェックアウト業務上流側に置かれた、バーコード読取前の購入対象品が収容されている買物カゴを、引き寄せる。
【００８６】
その後、次の買物客の持参した買物カゴに収納された購入対象品のうち、最上部に載せられている、上部からの圧力により破損し易いような商品があれば、その商品から手に取り、バーコード読取り作業を開始し、以下、前述と同様の動作と操作が行われる。以上が、商品販売売上データ登録処理装置が設置され、会計待ちの買物客が数珠繋ぎに連なっている繁忙時のチェックアウトレーンでのチェックアウ業務の流れである。
【００８７】
このような構成において、バーコードの読取りが済んだ商品を、当該取引の全ての商品のバーコード読取りが済むまで間、バーコード読取済み商品が本来置かれる場所よりも手前に設けられているバーコードスキャナ２の正面天板付近に当該バーコードスキャナ２の読取り領域から外れるように一時的に取り置いておき、その取り置いておいた商品を当該取引の全ての商品のバーコード読取が済んだ後に持ち上げて他のバーコード読取済み商品と一緒にする為に移動させる際に、バーコード読取手段の読取り領域内に侵入させてしまったとしても、誤って当該商品のバーコードを読取ってデータ入力されることがなく、当該買物客に対する取引代金請求、あるいは次の買物客（取引）の商品のバーコード読取り作業に、店員が滞り無く迅速に取り掛かることができる。
【００８８】
なお、前記一実施の形態では、一時的に取り置いていた商品を、該取引の全てのバーコード読取終了後に誤って再度レーザー光線の出射する窓２ａ付近の読取り領域内に侵入させてしまった場合でも、該商品のバーコードが読取られないようにするために、一買物客との登録取引において必ず使用されるキーである、小計キースイッチの操作に伴い、販売商品データ入力処理手段による販売商品データの入力処理を一時的に無効化する販売商品データ入力処理無効手段として、バーコードスキャナ２内部のレーザー光源３ａへの電気エネルギー供給を中断させる一方で、登録締めキースイッチの一種である預／現計キースイッチの操作に伴い、無効化されていた販売商品データ入力処理手段による販売商品データの入力処理を再開する販売商品データ入力処理再開手段として、該レーザー光源３ａへの電気エネルギー供給を復活させるようにしたが、このような手法に限らず、レーザー光源３ａから発せられたレーザー光線が窓２ａからバーコードスキャナ２の外部に出射されるまでの間の導光路のどこか（例えば窓２ａ）を機械的に遮蔽開放自在に動く何らかの部材によって一時的に塞いだり開けたりするようにしてもよい。また或いは、レーザー光線がバーコードスキャナ２の外部に出射されるまでの間の導光路のどこかにレーザー光線が内部で巡回し続けるような特別な巡回導光路を設けると共に、この巡回導光路にレーザー光線を導く鏡のような部材を機械的にその位置や角度を設け、この鏡の位置や角度を切り替えることで、販売商品データの入力処理を一時的に無効化したり、無効化されていた販売商品データの入力処理を復活させたりする、というものでもよい。
【００８９】
また、バーコードから反射されたレーザー光線が、バーコードスキャナ２の内部の光センサ３ｅのような、反射後のレーザー光線の光の強弱を、電気信号へと変える光電変換素子（例えば電荷結合素子(CCD: Charge Coupled Device)やCMOS等）まで到達しないように、その経路を何らかの部材で塞ぐか、あるいは光電変換素子には達しない別経路に逃すというもの、光電変換素子から出力される電気信号がデータ復号部に入力されないように、光電変換素子の出力端子とデータ復号部との間を接続したり切断したりする制御をソフトウェアで行なうゲート回路を設けるというもの、データ復号部で電気信号からデータとして復号変換されたデータを、所定の不要な期間だけ入力処理することなくそのまま読み捨ててし合うような処理手順を設けるというもの、等の手法が考えられる。
【図面の簡単な説明】
【００９０】
【図１】本発明を実施するための最良の形態における商品販売売上データ登録処理装置の外観斜視図。
【図２】同実施の形態における商品販売売上データ登録処理装置のブロック図。
【図３】同実施の形態における主要部の一つであるスキャナ部２Ａの模式図。
【図４】同実施の形態において商品販売売上データ登録処理装置のＣＰＵが実行するデータ処理の流れ図。
【符号の説明】
【００９１】
１…チェックアウトカウンタ
２…バーコードスキャナ
２ａ…窓
２Ａ…スキャナ部
２ｂ…キーボード
２ｃ…表示器
２ｄ…ブザー
２ｅ…電源制御部
３…レジ台
４…ＰＯＳターミナル
４ａ…キーボード
４ｂ…表示機
４ｃ…買物客向け表示器
４ｄ…プリンタ
５…ドロワ装置
４１…ＣＰＵ
４２…バスライン
４３…ＲＯＭ
４４…ＲＡＭ
４５…Ｉ／Ｏポート
４６…キーボードコントローラ
４７…表示コントローラ
４８…プリンタコントローラ
４９…スキャナコントローラ
５０…モードスイッチ
５１…ドロワ開放装置
３ａ…レーザー光源
３ｂ…ハーフミラー
３ｃ…回転ポリゴンミラー
３ｄ…固定鏡
３ｅ…光センサ
【図１】
2009259074.tif 000003
【図２】
2009259074.tif 000004
【図３】
2009259074.tif 000005
【図４】
2009259074.tif 000006